(57)【要約】【課題】製造が簡単容易で且つハニカム芯材と表面材と裏面材とのそれぞれが互いに確りと固着された建築用板の製造方法を提供する。【解決手段】本願発明の建築用板の製造方法は、ハニカム構造の板材をハニカム芯材１とし、該ハニカム芯材１よりも大きい表面材２と裏面材３とを該ハニカム芯材１の表裏面に固着すると共に、該表面材２および裏面材３のそれぞれの周縁部２１、３１をハニカム芯材１の周縁部１１よりも外方に張り出して該ハニカム芯材１の周縁部１１に周縁凹溝４を形成し、次に、長手方向に実部を形成した実材５１を形成してなる実材５を該周縁凹溝４の全周に嵌合固着してなることを特徴とするものである。【選択図】図１
2009228356.tif 000002
【特許請求の範囲】
【請求項１】
ハニカム構造の板材をハニカム芯材とし、該ハニカム芯材よりも大きい表面材と裏面材とを該ハニカム芯材の表裏面に固着すると共に、該表面材および裏面材のそれぞれの周縁部をハニカム芯材の周縁部よりも外方に張り出して該ハニカム芯材の周縁部に周縁凹溝を形成し、次に、長手方向に実部を形成してなる実材を該周縁凹溝の全周に嵌合固着してなる建築用板の製造方法。
【請求項２】
上記ハニカム芯材が紙で形成されてなる請求項１記載の建築用板の製造方法。
【請求項３】
上記表面材に突板、樹脂シート等からなる化粧シートを貼着してなる請求項１記載の建築用板の製造方法。
【請求項４】
上記裏面材に防湿シートを貼着してなる請求項１記載の建築用板の製造方法。
【発明の詳細な説明】
【技術分野】
【０００１】
本願発明は、床材や扉用の建築用板の製造方法に係り、特に、ハニカム構造をハニカム芯材とした建築用板の製造方法に関するものである。
【背景技術】
【０００２】
従来、実開昭５７−１９８２３１号公報にはハニカム構造の板材を芯材とした複合床材の製造方法が示されている。この複合床材の製造方法は、最初にハニカム芯材の４側周囲に枠材を固着した後に、その表裏面に薄手の板材を貼着するというものであった。
【０００３】
また、特公昭６１−６１９７４号公報にも、ハニカム構造の板材を芯材としたパネルの製造方法が開示されているが、このパネルの製造方法は、パネルを構成する裏板の４側周囲に凸形枠材と凹形枠材とを矩形状に固設して箱状物を作り、この箱状物にハニカム芯材を入れ、次に、その上から表板を被せこれをプレス機にかけて接着剤が硬化するまで押圧保持するというものであった。
【特許文献１】実開昭５７−１９８２３１号公報
【特許文献２】特公昭６１−６１９７４号公報
【発明の開示】
【発明が解決しようとする課題】
【０００４】
しかしながら、上記特許文献１に開示されている製造方法は、最初にハニカム芯材の４側周囲に枠材を固着した後に、その表裏面に薄手の板材を貼着するというものであるが、ハニカムは横方向の押圧力に弱く該ハニカム芯材の周囲側面が当該枠材に確実に固着されないという欠点があり、該枠材とハニカム芯材との間に隙間が発生し易いという問題があった。
【０００５】
また、当該枠材内にハニカム芯材を固着した後にその表裏面に薄手の板材を貼着するとき、ハニカム芯材と枠材とのそれぞれの厚みが正確に一致していないと該表裏面の板材とハニカム芯材との間、或いは、表裏面の板材と該枠材との間の接着が確実に行われないという問題があった。
【０００６】
上記特許文献２に開示されている製造方法は、最初にパネルを構成する裏板とその４側周囲に固設された枠材で箱状物を作り、この箱状物にハニカム芯材を入れ、次に、その上から表板を被せこれをプレス機にかけて接着剤が硬貨するまで押圧保持するというものであったから、該枠材と裏板とで箱状物を予め作るという余分の工程を必要としていた。
【０００７】
また、該箱状物とその中に入れられるハニカム芯材との厚み方向の寸法精度が悪いと、パネルを構成する表板が該枠材やハニカム芯材に確りと接着されないという問題があった。
【０００８】
本願発明は、上記背景技術に鑑みてなしたものであり、その目的は、製造が簡単容易で且つハニカム芯材と表面材と裏面材とのそれぞれが互いに確りと固着された建築用板の製造方法を提供することにある。
【課題を解決するための手段】
【０００９】
上記課題を解決するために、本願請求項１記載の発明に係る建築用板の製造方法は、ハニカム構造の板材をハニカム芯材とし、該ハニカム芯材よりも大きい表面材と裏面材とを該ハニカム芯材の表裏面に固着すると共に、該表面材および裏面材のそれぞれの周縁部をハニカム芯材の周縁部よりも外方に張り出して該ハニカム芯材の周縁部に周縁凹溝を形成し、次に、長手方向に実部を形成してなる実材を該周縁凹溝の全周に嵌合固着してなることを特徴としている。
【００１０】
本願請求項２記載の発明は、上記請求項1記載の建築用板の製造方法において、ハニカム芯材が紙で形成されてなることを特徴としている。
【００１１】
本願請求項３記載の発明は、上記請求項１記載の建築用板の製造方法において、表面材に突板、樹脂シート等からなる化粧シートを貼着してなることを特徴としている。
【００１２】
本願請求項４記載の発明は、上記請求項１記載の建築用板の製造方法において、裏面材に防湿シートを貼着してなることを特徴としている。
【発明の効果】
【００１３】
本願請求項１記載の発明に係る建築用板の製造方法においては、最初の製造工程において、ハニカム芯材の４側の周縁部に周縁凹溝が形成されるよう、該ハニカム芯材よりも大きい表面材と裏面材とで該ハニカム芯材をサンドイッチ状に挟持固着するものであるから、該ハニカム芯材と表裏面材とは多少の寸法誤差を吸収して互いに確りと固着され、強度の安定した建築用板が得られる。
【００１４】
また、上記表裏面材で挟持固着されたハニカム芯材は、該表裏面材とハニカム芯材との接着力によってその横方向の抵抗力が強化されているから、次工程として、ハニカム芯材の周縁部に形成された周縁凹溝に実材を嵌合固着するとき、ハニカム芯材の側端面と実材との接触が確実となり従って両者の固着が一層安定したものとなる。
【００１５】
更に、実材を周縁凹溝に嵌合固着する前には、該周縁凹溝の溝幅は表裏面材によって固定されているから、該溝幅に合わせて実材を修正加工することができるので、結果として、強度の安定した建築用板を製造できる。
【００１６】
また、ハニカム芯材はその側端面の加工は困難であるが、ハニカム芯材に加工をすることなく実部を有する実材を建築用板の周囲端面に装着できる。
【００１７】
本願請求項２記載の発明に係る建築用板の製造方法は、上記構成であり、特に、ハニカム芯材が紙で形成されているから、該建築用板を安価に製造できるとともに、ハニカム芯材と表裏面板との接着性能が向上する。
【００１８】
また、ハニカム芯材の周縁部に形成された周縁凹溝に実材を嵌合固着するとき、必要に応じて、紙製のハニカム芯材を切削加工するときの作業が容易となる。
【００１９】
本願請求項３記載の発明に係る建築用板の製造方法は、上記構成であり、その製造方法によって製造されたハニカム構造の建築用板は、寸法精度がよく軽量かつ堅牢でありその表面材の平面度は極めて高い。従って、本願発明の建築用板の製造方法は、その使用用途に応じた好みの化粧シートをその表面材に確実で綺麗に貼着した建築用板を提供できる。
【００２０】
本願請求項４記載の発明に係る建築用板の製造方法は、上記構成であり、特に、裏面材に防湿シートを貼着してなるから、完成した建築用板は紙製のハニカム芯材を使用している場合や裏面材が木製合板の場合でも建築用板の裏面から湿気が建築用板の内部に浸透しにくいのである。
【００２１】
また、防湿シートを裏面材に貼着する作業を、ハニカム芯材の周縁部に形成された周縁凹溝に実材を嵌合固着した後のプレス作業と同時の行うことができるので、その作業効率がよいという効果がある。
【発明を実施するための最良の形態】
【００２２】
以下本願発明に係る建築用板の製造方法の一実施の形態について図面を参照して説明する。図１は本願発明の第１の実施の形態である建築用板の製造方法おいて、その製造途中における建築用板の分解斜視図、図２は本願発明の第１の実施の形態である建築用板の製造方法で製造した建築用板の横断面図である。
【００２３】
図において、１はハニカム構造の板材からなるハニカム芯材であり、該ハニカム芯材１は紙で構成されているが、必要に応じて該紙の抄造時に熱硬化性樹脂を含浸させたものである。しかし、該ハニカム芯材１を合成樹脂フィルム、金属シートで形成してもよい。
【００２４】
本発明に係る製造方法の最初の工程は、該ハニカム芯材１の表裏面に表面材２と裏面材３とを貼着することである。このとき、表面材２と裏面材３との面積はハニカム芯材１の面積よりも大きくしてあり、該ハニカム芯材１を該表裏面材２、３でサンドイッチ状に挟持したとき表面材２の周縁部２１と裏面材３の周縁部３１とがハニカム芯材１の周縁部１１よりも外方に相対向して張り出すようにしており、その結果、ハニカム芯材１の周縁部１１の４側端部の周縁凹溝４が形成される。
【００２５】
次の工程として、予め実部５１をその長手方向に形成した実材５を該ハニカム芯材１の周縁凹溝４の全周に嵌合固着する。実部５１は雄実５１１と雌実５１２との２種類が予め用意されており、雄実５１１を形成した実材５と雌実５１２を形成した雄実５とは相対向した状態で周縁凹溝４に嵌合固着される。
【００２６】
実材５は通常は木質材が使用されるが、これに限定されず例えば硬質プラスチック、アルミニウム等の金属棒体で形成される。表面材２および裏面材３は合板、パーティクルボード、合成樹脂板、その他が採用される。
【００２７】
次の工程として、表面材２に突板、樹脂シート等からなる化粧シート６を貼着し、且つ、裏面材３の裏面に防湿シート７を貼着する。このとき、公知の条件、方法で該建築用板全体をプレスする。このように製造された建築用板は、特に、ハニカム芯材１が紙製で裏面材３が合板の場合、裏面からの湿気を遮断するので、該建築用板を床材として使用するとき床材としての寿命が長くなる。
【００２８】
一方、本願発明において、ハニカム芯材１を紙で形成したり、突板、樹脂シート等からなる化粧シート６を表面材２に貼着したり、裏面材３に防湿シート７を貼着することはその使用用途に応じて適宜行われるものである。
【００２９】
上記の如く、本願発明の製造方法で製造された建築用板は、製造が簡単容易で且つハニカム芯材と表面材と裏面材とのそれぞれが寸法精度よく互いに確りと固着された建築用板となるのである。
【図面の簡単な説明】
【００３０】
【図１】本願発明の第１の実施の形態である建築用板の製造方法おいてその製造途中における建築用板の分解斜視図。
【図２】本願発明の第１の実施の形態である建築用板の製造方法で製造した建築用板の横断面図。
【符号の説明】
【００３１】
１      ハニカム芯材
１１    ハニカム芯材の周縁部
２      表面材
２１    表面材の周縁部
３      裏面材
３１    裏面材の周縁部
４      ハニカム芯材の周縁凹溝
５      実材
５１    実部
５１１  雄実
５１２  雌実
６      化粧シート
７      防湿シート
【図１】
2009228356.tif 000003
【図２】
2009228356.tif 000004